(57)【特許請求の範囲】
【請求項１】
表示器と、
前記表示器の背面側に設けられた背面カバーと、
前記背面カバーに形成されると共に、前記背面カバーの上下方向の一方側に開口し、かつ、前記背面カバーの正面側と背面側とを連通する開口部と、
前記上下方向の一方側からスライドされて前記開口部を貫通し、前記背面カバーの正面部において前記開口部よりも前記上下方向の他方側に固定された第一取付部と、前記開口部よりも前記上下方向の一方側に設けられ、前記背面カバーの背面部に固定された第二取付部と、を有するヒンジブラケットと、
前記背面カバーの背面側に設けられ、前記ヒンジブラケットに回動可能に固定されたスタンドと、
を備える電子機器。
【請求項２】
前記第二取付部の背面側から前記第二取付部を覆うヒンジカバーをさらに備える、
請求項１に記載の電子機器。
【請求項３】
前記開口部は、前記上下方向の下側に開口し、
前記スタンドの上部は、前記ヒンジブラケットに回動可能に固定され、
前記第二取付部は、前記スタンドの上部よりも下側に配置され、
前記ヒンジカバーは、前記第二取付部及び前記スタンドの間に配置されている、
請求項２に記載の電子機器。
【請求項４】
前記スタンドの上部は、前記ヒンジブラケットにヒンジ軸を介して回動可能に固定され、
前記背面カバーにおける前記開口部よりも上側には、前記背面カバーの背面側に突出する上カバー部が形成され、
前記ヒンジカバーには、前記上カバー部の下側に配置されると共に、前記ヒンジカバーの背面側に突出し、前記上カバー部と共に前記ヒンジ軸を囲う下カバー部が形成されている、
請求項３に記載の電子機器。
【請求項５】
前記背面カバーの正面部には、前記第一取付部を固定する第一固定部が形成され、
前記背面カバーの背面部には、前記第二取付部を固定する第二固定部が形成され、
前記第一固定部は、
前記上下方向の他方側から前記第一取付部に当接された第一当接部と、
前記背面カバーの正面部の正面側に設けられ、前記背面カバーの正面部との間に前記第一取付部が挿入される第一保持部と、
を有し、
前記第二固定部は、
前記上下方向の一方側から前記第二取付部に当接された第二当接部と、
前記背面カバーの背面部の背面側に設けられ、前記背面カバーの背面部との間に前記第二取付部が挿入される第二保持部と、
を有する、
請求項１〜請求項４のいずれか一項に記載の電子機器。
【請求項６】
前記第二固定部は、前記上下方向の他方側に向けて延び、先端部に前記第二当接部が形成された弾性片を有する、
請求項５に記載の電子機器。
【請求項７】
前記ヒンジブラケット及び前記スタンドは、スタンドユニットを形成し、
前記スタンドは、前記ヒンジブラケットと共に前記スタンドユニットを形成した状態で前記背面カバーに取り付けられている、
請求項１〜請求項６のいずれか一項に記載の電子機器。
【発明の詳細な説明】
【技術分野】
【０００１】
本願の開示する技術は、電子機器に関する。
【背景技術】
【０００２】
従来、表示器及び背面カバーを有する機器本体と、機器本体にヒンジを介して固定されたスタンドとを備えた電子機器がある。
【先行技術文献】
【特許文献】
【０００３】
【特許文献１】特開平１１−１８４３９３号公報
【特許文献２】実用新案登録第３１１６０８７号公報
【特許文献３】特開２００１−１４７６４８号公報
【発明の概要】
【発明が解決しようとする課題】
【０００４】
このような電子機器において、スタンドに設けられたヒンジブラケットが背面カバーに形成された開口部を通じて機器本体の内側に固定される場合、背面カバーに開口部を形成した分、背面カバーの剛性が低下する虞がある。
【０００５】
そこで、本願の開示する技術は、一つの側面として、背面カバーの剛性を確保できる電子機器を提供することを目的とする。
【課題を解決するための手段】
【０００６】
上記目的を達成するために、本願の開示する技術の一観点によれば、表示器と、背面カバーと、開口部と、ヒンジブラケットと、スタンドとを備える電子機器が提供される。背面カバーは、表示器の背面側に設けられる。開口部は、背面カバーに形成されると共に、背面カバーの上下方向の一方側に開口し、かつ、背面カバーの正面側と背面側とを連通する。ヒンジブラケットは、第一取付部と第二取付部とを有する。第一取付部は、上記上下方向の一方側からスライドされて開口部を貫通し、背面カバーの正面部において前記開口部よりも前記上下方向の他方側に固定される。第二取付部は、開口部よりも上記上下方向の一方側に設けられ、背面カバーの背面部に固定される。スタンドは、背面カバーの背面側に設けられ、ヒンジブラケットに回動可能に固定される。
【発明の効果】
【０００７】
本願の開示する技術によれば、背面カバーの剛性を確保することができる。
【図面の簡単な説明】
【０００８】
【図１】電子機器を正面側から見た斜視図である。
【図２】電子機器を背面側から見た斜視図である。
【図３】電子機器の正面図である。
【図４】電子機器の背面図である。
【図５】電子機器の側面図である。
【図６】電子機器の分解斜視図である。
【図７】背面カバー及びスタンドユニットを正面側から見た分解斜視図である。
【図８】背面カバー及びスタンドユニットを背面側から見た分解斜視図である。
【図９】背面カバーの正面図である。
【図１０】図９のＡ部拡大図である。
【図１１】図９のＦ１１−Ｆ１１線断面図である。
【図１２】図９のＦ１２−Ｆ１２線断面図である。
【図１３】背面カバーの背面図である。
【図１４】図１３のＢ部拡大図である。
【図１５】図１３のＦ１５−Ｆ１５線断面図である。
【図１６】図１３のＦ１６−Ｆ１６線断面図である。
【図１７】スタンドユニットを組み付ける様子を正面図にて説明する図である。
【図１８】スタンドユニットを組み付ける様子を背面図にて説明する図である。
【図１９】スタンドユニットを組み付ける様子を側面図にて説明する図である。
【図２０】ヒンジカバーを組み付ける様子を正面図にて説明する図である。
【図２１】ヒンジカバーを組み付ける様子を背面図にて説明する図である。
【図２２】ヒンジカバーを組み付ける様子を側面図にて説明する図である。
【図２３】台足部の周辺部を正面側から見た分解斜視図である。
【図２４】台足部の周辺部を背面側から見た分解斜視図である。
【図２５】台足部の周辺部の正面図である。
【図２６】正面カバーを組み付けた状態での台足部の周辺部の正面図である。
【図２７】図２６のＦ２７−Ｆ２７線断面図である。
【図２８】図２６のＦ２８−Ｆ２８線断面図である。
【図２９】金型で補強部材を製造する様子を模式的に示す断面図である。
【発明を実施するための形態】
【０００９】
以下、本願の開示する技術の一実施形態を説明する。
【００１０】
＜電子機器＞
本実施形態では、一例として、表示器一体型のパーソナルコンピュータである電子機器について説明する。図１〜図５に示されるように、本実施形態の電子機器１０は、機器本体１２と、スタンドユニット１４とを備える。
【００１１】
なお、以下に説明する図１〜図２８において、矢印Ｆｒは、電子機器１０の正面側、矢印Ｒｒは、電子機器１０の背面側をそれぞれ示している。また、矢印Ｕｐは、電子機器１０の上側、矢印Ｄｗは、電子機器１０の下側、矢印Ｌｈは、電子機器１０の左側、矢印Ｒｈは、電子機器１０の右側をそれぞれ示している。
【００１２】
＜機器本体＞
図６に示されるように、機器本体１２は、表示器１６と、正面カバー１８と、背面カバー２０と、シャーシ２２と、リアプレート２４とを有する。表示器１６には、例えば、ＬＣＤ（Liquid Crystal Display）などの平板状の表示器が用いられる。正面カバー１８は、表示器１６の外周部に沿った四角枠状に形成されている。表示器１６は、正面カバー１８に組み付けられている。
【００１３】
背面カバー２０は、表示器１６及び正面カバー１８の背面側に設けられている。この背面カバー２０は、正面カバー１８と共に機器本体１２の筐体２６を形成する。この筐体２６を形成する背面カバー２０及び正面カバー１８は、一例として、樹脂製とされている。
【００１４】
シャーシ２２及びリアプレート２４は、それぞれ概略平板状に形成され、筐体２６の内部に収容される。このシャーシ２２及びリアプレート２４には、制御基板やハードディスクなどの内部ユニットが搭載される。
【００１５】
＜スタンドユニット＞
図７，図８に示されるように、スタンドユニット１４は、ヒンジブラケット２８と、スタンド３０とを有する。
【００１６】
ヒンジブラケット２８は、背面カバー２０の上下方向の略中央部に配置される。このヒンジブラケット２８は、一対の取付部３２を有する。一対の取付部３２は、背面カバー２０の上下方向に沿って延びる平板状とされており、背面カバー２０の左右方向に離間して設けられている。一対の取付部３２の上部は、それぞれ第一取付部３４とされ、一対の取付部３２の下部は、それぞれ第二取付部３６とされている。
【００１７】
ヒンジブラケット２８には、第一取付部３４と第二取付部３６との間に支持部３８がそれぞれ形成されている。一対の支持部３８は、第一取付部３４と第二取付部３６との間からヒンジブラケット２８の背面側に向けて延びている。図７に示されるように、一対の支持部３８の先端部には、背面カバー２０の左右方向に沿って延びるヒンジ軸４０が設けられている。ヒンジ軸４０は、第一取付部３４と第二取付部３６との間から延びる支持部３８に設けられることにより、ヒンジブラケット２８の上下方向における第一取付部３４と第二取付部３６との間に配置される。
【００１８】
スタンド３０は、背面カバー２０の背面側に設けられている。このスタンド３０は、背面カバー２０の背面方向に貫通する孔４２を有する枠状体により形成されている。このスタンド３０は、より具体的には、背面カバー２０の上下方向を長手方向とする正面視にて概略長方形状に形成されている。スタンド３０の上部は、ヒンジブラケット２８にヒンジ軸４０を介して回動可能に固定されている。
【００１９】
このスタンド３０の上部が固定されたヒンジ軸４０は、上述の如く、ヒンジブラケット２８の上下方向における第一取付部３４と第二取付部３６との間に配置されている。このため、ヒンジ軸４０の上側に位置する第一取付部３４は、スタンド３０の上部よりも上側に配置され、ヒンジ軸４０の下側に位置する第二取付部３６は、スタンド３０の上部よりも下側に配置される。
【００２０】
図７，図８に示されるように、スタンド３０及びヒンジブラケット２８は、背面カバー２０に取り付けられる前の状態において、スタンドユニット１４として予め一体的に組み付けられる。そして、スタンド３０は、ヒンジブラケット２８と共にスタンドユニット１４を形成した状態で背面カバー２０に取り付けられる。このスタンドユニット１４は、具体的には、以下のスタンド取付構造によって背面カバー２０に取り付けられる。
【００２１】
＜スタンド取付構造＞
図８に示されるように、背面カバー２０の中央部よりもやや下側の部分には、背面カバー２０の正面側に凹む凹部４４が形成されている。この凹部４４は、背面カバー２０の背面視にて四角形状に形成されている。この凹部４４は、上述のヒンジブラケット２８の外形形状と略同じ大きさで形成されている。凹部４４の底壁部４６は、図７に示されるように、背面カバー２０の正面部５４における底壁部４６の周囲部よりも背面カバー２０の正面側にオフセットされている。
【００２２】
この底壁部４６の上部には、背面カバー２０の前後方向に貫通する正面視にて長方形状の開口部４８が形成されている（図９，図１０も参照）。図１１に示されるように、開口部４８は、凹部４４の内側面を形成する上下一対の側壁部及び左右一対の側壁部のうち上側の側壁部を取り去るように形成されている。これにより、開口部４８は、背面カバー２０の前後方向だけでなく、背面カバー２０の下側にも開口されている。
【００２３】
つまり、図１１に示されるように、この開口部４８は、スリット５０及び切欠き５２を有する。スリット５０は、背面カバー２０の正面部５４における底壁部４６よりも上側の部分５４Ａと底壁部４６との間の段差５０Ａによって形成されており、背面カバー２０の下側に開口する。切欠き５２は、スリット５０に対して上側に切り欠かれており、背面カバー２０の前後方向に貫通する。このように、開口部４８は、スリット５０及び切欠き５２を有することにより、背面カバー２０の下側に開口し、かつ、背面カバー２０の正面側と背面側とを連通する。切欠き５２は、樹脂成型時に金型の凸部で後述する上カバー部８６を形成する際に、この金型の凸部により形成される。
【００２４】
なお、本実施形態において、スリット５０の開口方向である背面カバー２０の下側は、「背面カバーの上下方向の一方側」の一例であり、背面カバー２０の上側は、「背面カバーの上下方向の他方側」の一例である。
【００２５】
図１１に示されるように、背面カバー２０の正面部５４（前面部）における開口部４８よりも上側には、上述の第一取付部３４を固定するための第一固定部５８が形成されている。一方、背面カバー２０の背面部５６（後面部）における開口部４８よりも下側には、上述の第二取付部３６を固定する第二固定部６０が形成されている。
【００２６】
図９のＡ部拡大図である図１０に示されるように、第一固定部５８は、一対の第一壁部６２と、一対の第一当接部６４と、一対の第一保持部６６と、一対のボス部６８とを有する。この一対の第一壁部６２、一対の第一当接部６４、一対の第一保持部６６、及び、一対のボス部６８の各々は、第一固定部５８の左右方向に対称に形成されている。
【００２７】
第一壁部６２は、背面カバー２０の正面部５４から背面カバー２０の正面側に突出されている。この第一壁部６２は、上述の凹部４４（図８参照）の左右の側壁部が背面カバー２０の上側に延長されることにより形成されており、背面カバー２０の上下方向に直線状に延びている。ヒンジブラケット２８が正規の取付位置に取り付けられた状態において、第一壁部６２は、第一取付部３４の外側の側部に形成された縦縁部３４Ａ１の側方に設けられると共に、この縦縁部３４Ａ１に沿って配置される（図１２も参照）。
【００２８】
第一当接部６４は、一対の第一壁部６２の間に設けられている。この第一当接部６４は、突起状に形成されており、背面カバー２０の正面部５４から背面カバー２０の正面側に突出されている。ヒンジブラケット２８が正規の取付位置に取り付けられた状態において、第一当接部６４は、背面カバー２０の上側から第一取付部３４の上縁部３４Ｂに当接される（図１１も参照）。
【００２９】
第一保持部６６は、背面カバー２０の上下方向に沿って直線状に延びる第一壁部６２のうちの長さ方向の上部に形成されている。この第一保持部６６は、第一壁部６２から背面カバー２０の左右方向の中央部側に向けて突出されている。また、この第一保持部６６は、背面カバー２０の正面部５４の正面側に設けられている（図１２も参照）。ヒンジブラケット２８が正規の取付位置に取り付けられた状態において、第一保持部６６と背面カバー２０の正面部５４との間には、第一取付部３４が挿入される（図１２も参照）。
【００３０】
ボス部６８は、一対の第一壁部６２の間に設けられている。このボス部６８は、背面カバー２０の正面部５４の一部が膨出されることにより形成されており、背面カバー２０の正面側に突出されている。ヒンジブラケット２８が正規の取付位置に取り付けられた状態において、ボス部６８は、第一保持部６６とで第一取付部３４を挟持する（図１２も参照）。
【００３１】
図１３のＢ部拡大図である図１４に示されるように、第二固定部６０は、一対の第二壁部７２と、一対の第二当接部７４と、一対の第二保持部７６と、一対の弾性片７８と、一対のガイド部８０とを有する。この一対の第二壁部７２、一対の第二当接部７４、一対の第二保持部７６、一対の弾性片７８、及び、一対のガイド部８０の各々は、第二固定部６０の左右方向に対称に形成されている。
【００３２】
第二壁部７２は、上述の凹部４４の左右の側壁部によって形成されており、背面カバー２０の上下方向に直線状に延びている。この第二壁部７２は、上述の第一壁部６２と連続して形成されている。ヒンジブラケット２８が正規の取付位置に取り付けられた状態において、第二壁部７２は、第二取付部３６の外側の側部に形成された縦縁部３６Ａの側方に設けられると共に、この縦縁部３６Ａに沿って配置される（図１５，図１６も参照）。この第二壁部７２は、第二固定部６０における「壁部」の一例である。
【００３３】
第二保持部７６は、背面カバー２０の上下方向に沿って延びる第二壁部７２のうちの長さ方向の略中央部に形成されている。この第二保持部７６は、第二壁部７２から背面カバー２０の左右方向の中央部側に向けて突出されている。また、この第二保持部７６は、背面カバー２０の背面部５６の背面側に設けられている（図１５も参照）。ヒンジブラケット２８が正規の取付位置に取り付けられた状態において、第二保持部７６と背面カバー２０の背面部５６（底壁部４６）との間には、第二取付部３６が挿入される（図１５も参照）。
【００３４】
弾性片７８は、一対の第二壁部７２の間に設けられている。この弾性片７８は、底壁部４６に形成されており、背面カバー２０の上側に向けて延びている。この弾性片７８の先端部には、第二当接部７４が形成されている。
【００３５】
第二当接部７４は、突起状に形成されており、背面カバー２０の背面側に突出されている。ヒンジブラケット２８が正規の取付位置に取り付けられた状態において、第二当接部７４は、背面カバー２０の下側から第二取付部３６の下縁部３６Ｂに当接される（図１１も参照）。図１１に示されるように、第二当接部７４における弾性片７８の基端側の面は、傾斜面７４Ａとして形成されている。この傾斜面７４Ａは、背面カバー２０の上側に向かうに従って背面カバー２０の背面側に向かうように傾斜されている。
【００３６】
図１４に示されるように、ガイド部８０は、一対の第二壁部７２の間に設けられている。このガイド部８０は、背面カバー２０の上下方向に直線状に延びると共に、底壁部４６から背面カバー２０の背面側に突出されている。ヒンジブラケット２８が正規の取付位置に取り付けられた状態において、ガイド部８０は、支持部３８の側方に設けられると共に、この支持部３８に沿って配置される（図１６も参照）。
【００３７】
そして、以上のスタンド取付構造により、スタンドユニット１４は、背面カバー２０に取り付けられる。つまり、図１８の上図に示されるように、凹部４４にヒンジブラケット２８が収容される（図１７及び図１９の上図も参照）。そして、図１７〜図１９の各図の下図に示されるように、ヒンジブラケット２８を含むスタンドユニット１４の全体が背面カバー２０の下側から上側にスライドされる。
【００３８】
図１８に示されるように、ヒンジブラケット２８が背面カバー２０の下側から上側にスライドされると、ヒンジブラケット２８の第一取付部３４が下側からスライドされて開口部４８（図１１のスリット５０）を貫通する。第一取付部３４は、開口部４８を貫通すると、背面カバー２０の正面側に位置され、背面カバー２０の正面部５４と対向される（図１０〜図１２参照）。
【００３９】
また、第一取付部３４が背面カバー２０の正面部５４と対向されるときに、第一取付部３４は、第一取付部３４の上縁部３４Ｂが第一当接部６４と当接されるまでスライドされる（図１０，図１１も参照）。また、第一取付部３４がスライドされる際、第一取付部３４の外側の縦縁部３４Ａ１は、第二壁部７２及び第一壁部６２によって順に案内され、第一取付部３４の内側の縦縁部３４Ａ２は、ガイド部８０によって案内される（図１０，図１４参照）。
【００４０】
そして、一対の第一取付部３４は、一対の第一当接部６４と当接された状態では、一対の第一壁部６２の間に配置され、この一対の第一壁部６２によって背面カバー２０の左右方向に位置決めされる（図１０参照）。また、第一取付部３４は、第一当接部６４と当接された状態では、第一保持部６６及びボス部６８によって背面カバー２０の正面側及び背面側から支持され、背面カバー２０の前後方向に位置決めされる（図１２参照）。
【００４１】
一方、図１４に示されるように、ヒンジブラケット２８を含むスタンドユニット１４の全体が背面カバー２０の上側にスライドされた状態において、第二取付部３６は、背面カバー２０の上下方向における開口部４８よりも下側に配置される。また、第二取付部３６は、凹部４４の内側に配置され、背面カバー２０の背面部５６のうちの底壁部４６と対向される（図１５参照）。
【００４２】
また、第二取付部３６がスライドされる際に、第二取付部３６によって第二当接部７４が押圧されることにより、弾性片７８が背面カバー２０の正面側に弾性変形される。そして、第一取付部３４が第一当接部６４と当接されると、第二取付部３６が第二当接部７４を乗り越えて弾性片７８が元の形状に戻されることにより、第二取付部３６の下縁部３６Ｂが第二当接部７４と当接される（図１４参照）。図１０，図１４に示されるように、ヒンジブラケット２８は、第一取付部３４の上縁部３４Ｂが第一当接部６４に当接されると共に、第二取付部３６の下縁部３６Ｂが第二当接部７４に当接されることにより、背面カバー２０の上下方向に位置決めされる。
【００４３】
また、図１４に示されるように、第二取付部３６は、第二当接部７４と当接された状態では、一対の第二壁部７２の間に配置され、この一対の第二壁部７２によって背面カバー２０の左右方向に位置決めされる（図１６も参照）。さらに、第二取付部３６は、第二当接部７４と当接された状態では、第二保持部７６及び底壁部４６によって背面カバー２０の正面側及び背面側から支持され、背面カバー２０の前後方向に位置決めされる（図１５も参照）。
【００４４】
このようにして、スタンドユニット１４は、背面カバー２０に取り付けられる。本実施形態の電子機器１０では、上述のように、スタンド３０は、ヒンジブラケット２８と共にスタンドユニット１４を形成した状態で背面カバー２０に取り付けられる。なお、本実施形態の電子機器１０では、スタンドユニット１４が背面カバー２０に取り付けられた後に、正面カバー１８、背面カバー２０、シャーシ２２、及び、リアプレート２４等の組付が行われる。
【００４５】
また、図７，図８に示されるように、背面カバー２０には、ヒンジカバー８２が設けられている。このヒンジカバー８２は、背面カバー２０の背面視にて凹部４４の外形形状と略同じ大きさで形成されている。ヒンジカバー８２の上縁部には、爪部８４が形成されており、この爪部８４が背面カバー２０に形成された穴に係止されることにより、ヒンジカバー８２は、背面カバー２０に固定される。
【００４６】
図８に示されるように、背面カバー２０には、上カバー部８６が形成され、ヒンジカバー８２には、下カバー部８８が形成されている。上カバー部８６は、背面カバー２０における開口部４８よりも上側に形成されており、背面カバー２０の背面側に突出する。下カバー部８８は、ヒンジカバー８２の背面側に突出し、上カバー部８６の下側に配置される。
【００４７】
ヒンジカバー８２が背面カバー２０に固定された状態において、上カバー部８６及び下カバー部８８は、ヒンジ軸４０を囲うカバー部９０を形成する。このカバー部９０は、ヒンジカバー８２の背面視において横長の四角枠状に形成される。上カバー部８６は、カバー部９０のうちの上枠部を形成し、下カバー部８８は、カバー部９０のうちの左右一対の側枠部と下枠部を形成する。
【００４８】
図２１に示されるように、ヒンジカバー８２は、背面カバー２０の上下方向における凹部４４よりも下側からスライドされて、凹部４４に組み付けられる（図２０，図２２も参照）。ヒンジカバー８２が凹部４４に組み付けられた状態において、凹部４４は、ヒンジカバー８２によって塞がれる。また、ヒンジカバー８２が凹部４４に組み付けられた状態では、図２に示されるように、上カバー部８６及び下カバー部８８によって四角枠状のカバー部９０が形成され、このカバー部９０によってヒンジ軸４０が背面カバー２０の上下方向及び左右方向から囲われる。
【００４９】
また、図２１に示されるように、ヒンジカバー８２が凹部４４に組み付けられた状態では、第二取付部３６の背面側から第二取付部３６がヒンジカバー８２によって覆われる。さらに、ヒンジカバー８２が凹部４４に組み付けられた状態では、第二取付部３６と、この第二取付部３６の背面側に配置されたスタンド３０との間にヒンジカバー８２が配置される。
【００５０】
＜台足構造＞
図８，図９に示されるように、背面カバー２０には、上述のスタンド３０と共に電子機器１０の脚部を形成する左右一対の台足１００が設けられている。この一対の台足１００は、左右対称に形成されている。この台足１００に適用された台足構造は、具体的には、次のような構成とされている。
【００５１】
つまり、図２３，図２４に示されるように、背面カバー２０の左右両側の下端部には、枠状の台足部１０２が設けられている。この台足部１０２は、背面カバー２０の周壁部の一部が下方に凸状に突出されることにより形成されている。この台足部１０２は、枠状に形成されることにより、背面カバー２０の前後方向に貫通する孔１０４を有する。
【００５２】
この台足部１０２は、より具体的には、外壁部１０６と、内壁部１０８と、底壁部１１０とを有する。外壁部１０６は、背面カバー２０の周壁部のうちの側壁部１１２を下方に延長して形成されており、内壁部１０８は、背面カバー２０の周壁部のうちの下壁部１１４における左右方向の端部を下方に延長して形成されている。外壁部１０６の下端部と内壁部１０８の下端部とは、背面カバー２０の左右方向に沿って延びる底壁部１１０によって連結されている。底壁部１１０の下面には、平板状のゴム足１１６がネジ１１８により固定される。
【００５３】
図２６に示されるように、背面カバー２０の正面側に正面カバー１８が設けられた状態において、台足部１０２は、正面カバー１８の下端部よりも下方に突出する。
【００５４】
図２３，図２４に示されるように、台足部１０２には、例えばアルミニウム合金製の補強部材１２０が設けられている。この補強部材１２０は、背面カバー２０の前後方向に貫通する孔１２２を有する中空体であり、台足部１０２の内側面に沿って設けられている。この補強部材１２０は、複数のネジ１２４によって背面カバー２０に固定される。また、補強部材１２０には、所定の意匠部品１２６が組み付けられる。
【００５５】
図２７，図２８に示されるように、補強部材１２０は、正面側被覆部１２８を有する。正面側被覆部１２８は、台足部１０２の正面部の周囲に沿って枠状に形成されており、台足部１０２の正面部を背面カバー２０の正面側から覆う。一方、台足部１０２は、背面側被覆部１３０を有する。背面側被覆部１３０は、補強部材１２０の背面部の周囲に沿って枠状に形成されており、補強部材１２０の背面部を背面カバー２０の背面側から覆う。補強部材１２０の内周面１２０Ａは、意匠面とされており、台足部１０２に覆われずに外部に露出されている。
【００５６】
なお、補強部材１２０は、次の要領で製造される。すなわち、図２９に示されるように、補強部材１２０の製造には、コア１３２及びキャビティ１３４を有する金型１３６が用いられる。補強部材１２０は、コア１３２及びキャビティ１３４の内部に形成される空間によって形成される。また、補強部材１２０の内周面１２０Ａは、コア１３２に形成された凸部１３８の外周面１３８Ａによって形成され、補強部材１２０の外周面１２０Ｂは、キャビティ１３４に形成された凹部１４０の内周面１４０Ａによって形成される。
【００５７】
次に、本実施形態の作用及び効果について説明する。
【００５８】
先ず、本実施形態の作用及び効果を明確にするために、上述の本実施形態の各図面を参照しながら比較例について説明する。比較例としては、以下の三つの比較例がある。
【００５９】
＜第一比較例＞
第一比較例としては、開口部４８をヒンジブラケット２８の全体の外形形状に対応する大きさにすると共に、ヒンジブラケット２８全体を覆うヒンジカバー８２をスタンドユニット１４に予め取り付けておく構造が考えられる。しかしながら、このようにした場合には、開口部４８が大きくなり、背面カバー２０の剛性が低下するという問題がある。さらに、ヒンジカバー８２をヒンジブラケット２８よりも大きくする必要があるため、ヒンジカバー８２と背面カバー２０との分割ラインが大きくなり、デザイン性が損なわれるという問題がある。
【００６０】
＜第二比較例＞
第二比較例としては、機器本体１２の内部の構造物に予めスタンドユニット１４を取り付けておき、背面カバー２０を後から組み付ける構造が考えられる。しかしながら、このようにした場合にも、開口部４８が大きくなり、背面カバー２０の剛性が低下するという問題がある。また、スタンド３０が背面カバー２０の開口部４８を通過できるように、開口部４８よりもスタンド３０が小さくなければならず、デザインに制約が生じるという問題がある。
【００６１】
＜第三比較例＞
第三比較例としては、機器本体１２にヒンジブラケット２８及び背面カバー２０を組み付けた後に、スタンド３０をヒンジブラケット２８に組み付ける構造が考えられる。しかしながら、このようにした場合には、工場での組立工数が増大すると共に、スタンド３０をヒンジブラケット２８にネジで固定する必要があり、ネジの本数が増加すると共に、スタンド３０を薄型化できないという問題がある。
【００６２】
＜本実施形態＞
これに対し、本実施形態の電子機器１０によれば、図８，図１１等に示されるように、背面カバー２０の開口部４８（スリット５０）は、背面カバー２０の下側に開口される。また、この開口部４８は、ヒンジブラケット２８の第一取付部３４に対応する大きさで形成されている。したがって、上述の第一比較例に対し、開口部４８の大きさが小さくて済む。
【００６３】
しかも、図１１に示されるように、ヒンジブラケット２８の第一取付部３４は、開口部４８を貫通して背面カバー２０の正面部５４に配置され、この背面カバー２０の正面部５４に固定されている。また、ヒンジブラケット２８の第二取付部３６は、開口部４８に挿入されずに開口部４８の下側に配置され、背面カバー２０の背面部５６に固定されている。したがって、背面カバー２０における開口部４８の周辺部を第一取付部３４及び第二取付部３６で補強することができる。以上より、背面カバー２０に開口部４８が形成された場合でも、背面カバー２０の剛性を確保することができる。
【００６４】
また、ヒンジカバー８２をヒンジブラケット２８よりも大きくする必要がなく、ヒンジカバー８２は、第二取付部３６の背面側から第二取付部３６を覆う構成とされている（図２１参照）。したがって、上述の第一比較例に比して、ヒンジカバー８２と背面カバー２０との分割ラインを小さくできるので、デザイン性を確保できる。
【００６５】
また、スタンド３０は、ヒンジブラケット２８と共にスタンドユニット１４を形成した状態で背面カバー２０に取り付けられ、スタンドユニット１４の組付時に、開口部４８には、ヒンジブラケット２８のうちの第一取付部３４が挿入される（図１８参照）。したがって、第二比較例と異なり、開口部４８にスタンド３０を通過させる必要がないので、スタンド３０の大きさが開口部４８によって制約を受けることを回避できる。これにより、スタンド３０を開口部４８よりも大きくすることができるなど、スタンド３０のデザイン性を確保できる。
【００６６】
また、スタンド３０は、ヒンジブラケット２８と共にスタンドユニット１４を形成した状態で背面カバー２０に取り付けられるので、第三比較例に比して、工場での組立工数を削減することができる。さらに、スタンド３０をヒンジブラケット２８にネジで固定する必要がないので、ネジの本数を減らすことができると共に、スタンド３０を薄型化できる。
【００６７】
また、スタンド３０の上部がヒンジブラケット２８に回動可能に固定されることにより、第二取付部３６は、スタンド３０の上部よりも下側に配置され、ヒンジカバー８２は、第二取付部３６及びスタンド３０の間に配置されている（図２１参照）。したがって、ヒンジカバー８２と背面カバー２０との分割ラインをスタンド３０で覆い隠すことができるので、デザイン性を向上させることができる。
【００６８】
また、図８に示されるように、背面カバー２０における開口部４８よりも上側には、背面カバー２０の背面側に突出する上カバー部８６が形成され、ヒンジカバー８２には、ヒンジカバー８２の背面側に突出する下カバー部８８が形成されている。そして、ヒンジカバー８２が背面カバー２０に組み付けられた状態では、上カバー部８６及び下カバー部８８によって形成されたカバー部９０によってヒンジ軸４０が囲われる（図２も参照）。したがって、カバー部９０によりヒンジ軸４０を外部から覆い隠すことができるので、デザイン性をより向上させることができる。
【００６９】
また、図１０，図１４に示されるように、背面カバー２０に形成された第一固定部５８及び第二固定部６０は、ネジを用いずにヒンジブラケット２８を固定できる構造とされているので、工場での組立工数を削減することができる。
【００７０】
また、図１４に示されるように、第二固定部６０には、背面カバー２０の上側に向けて延びる弾性片７８が形成されており、この弾性片７８の先端部には、第二当接部７４が形成されている。そして、第一取付部３４が第一当接部６４と当接されると、第二取付部３６が第二当接部７４を乗り越えて弾性片７８が元の形状に戻され、第二取付部３６の下縁部３６Ｂが第二当接部７４と当接される。したがって、例えば、弾性片７８が元の形状に戻されて第二取付部３６の下縁部３６Ｂが第二当接部７４と当接される際のクリック感により、ヒンジブラケット２８が正規の位置に配置されたことを作業者が容易に把握させることができる。これにより、ヒンジブラケット２８を組み付ける際の作業性を向上させることができる。
【００７１】
また、図２３，図２４に示されるように、背面カバー２０の左右両側の下端部には、枠状の台足部１０２が設けられている。この台足部１０２は、背面カバー２０の周壁部の一部が下方に凸状に突出されることにより形成されている。したがって、台足部１０２と背面カバー２０との一体感を出すことができるので、デザイン性を向上させることができる。
【００７２】
また、台足部１０２の内側には、補強部材１２０が設けられており、この補強部材１２０は、枠状の台足部１０２の内側面に沿って設けられている。したがって、補強部材１２０により台足部１０２が補強されるので、台足部１０２を枠状に形成した場合でも、台足部１０２の剛性を確保することができる。
【００７３】
また、台足１００を樹脂製の台足部１０２と金属製の補強部材１２０とに分けているので、台足１００の全体を金属製とする場合に比して、重量及びコストを低減することができる。また、仮に、背面カバー２０を樹脂製とし、台足部１０２を金属製とすると、筐体２６の外周部の一体感が損なわれるが、本実施形態では、台足部１０２が背面カバー２０に一体に形成されているので、筐体２６の外周部の一体感を確保することができる。
【００７４】
また、台足部１０２の外壁部１０６は、背面カバー２０の周壁部のうちの側壁部１１２を下方に延長して形成さているので、筐体２６の側面部の一体感も確保することができる。
【００７５】
次に、本実施形態の変形例について説明する。
【００７６】
上記実施形態において、図１１に示される開口部４８（スリット５０）は、背面カバー２０の下側に開口されているが、背面カバー２０の上側に開口されていても良い。また、開口部４８が背面カバー２０の上側に開口される場合に、開口部４８には、ヒンジブラケット２８の下部に形成された第一取付部３４が背面カバー２０の上側から挿入されても良い。つまり、スタンドユニット１４は、背面カバー２０の上側から下側にスライドされて背面カバー２０に組み付けられても良い。
【００７７】
また、上記実施形態では、スリット５０及び切欠き５２によって開口部４８が形成されているが、切欠き５２が形成されずに、スリット５０によって開口部４８が形成されても良い。
【００７８】
また、上記実施形態において、ネジを用いずにヒンジブラケット２８を背面カバー２０に固定できる構造であれば、ヒンジブラケット２８を背面カバー２０に固定する第一固定部５８及び第二固定部６０は、上記以外の構造でも良い。
【００７９】
また、上記実施形態において、スタンドユニット１４は、好ましくは、背面カバー２０が正面カバー１８に組み付けられる前に背面カバー２０に組み付けられる。しかしながら、背面カバー２０が正面カバー１８に組み付けられた後にスタンドユニット１４が背面カバー２０に組み付けられても良い。
【００８０】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００８１】
なお、上述の本願の開示する技術の一実施形態に関し、更に以下の付記を開示する。
（付記１）
表示器と、
前記表示器の背面側に設けられた背面カバーと、
前記背面カバーに形成されると共に、前記背面カバーの上下方向の一方側に開口し、かつ、前記背面カバーの正面側と背面側とを連通する開口部と、
前記上下方向の一方側からスライドされて前記開口部を貫通し、前記背面カバーの正面部に固定された第一取付部と、前記開口部よりも前記上下方向の他方側に設けられ、前記背面カバーの背面部に固定された第二取付部と、を有するヒンジブラケットと、
前記背面カバーの背面側に設けられ、前記ヒンジブラケットに回動可能に固定されたスタンドと、
を備える電子機器。
（付記２）
前記第二取付部の背面側から前記第二取付部を覆うヒンジカバーをさらに備える、
付記１に記載の電子機器。
（付記３）
前記開口部は、前記上下方向の下側に開口し、
前記スタンドの上部は、前記ヒンジブラケットに回動可能に固定され、
前記第二取付部は、前記スタンドの上部よりも下側に配置され、
前記ヒンジカバーは、前記第二取付部及び前記スタンドの間に配置されている、
付記２に記載の電子機器。
（付記４）
前記ヒンジブラケットは、前記背面カバーの上下方向の中央部に配置されている、
付記３に記載の電子機器。
（付記５）
前記スタンドの上部は、前記ヒンジブラケットにヒンジ軸を介して回動可能に固定され、
前記背面カバーにおける前記開口部よりも上側には、前記背面カバーの背面側に突出する上カバー部が形成され、
前記ヒンジカバーには、前記上カバー部の下側に配置されると共に、前記ヒンジカバーの背面側に突出し、前記上カバー部と共に前記ヒンジ軸を囲う下カバー部が形成されている、
付記３又は付記４に記載の電子機器。
（付記６）
前記背面カバーの正面部には、前記第一取付部を固定する第一固定部が形成され、
前記背面カバーの背面部には、前記第二取付部を固定する第二固定部が形成され、
前記第一固定部は、
前記上下方向の他方側から前記第一取付部に当接された第一当接部と、
前記背面カバーの正面部の正面側に設けられ、前記背面カバーの正面部との間に前記第一取付部が挿入される第一保持部と、
を有し、
前記第二固定部は、
前記上下方向の一方側から前記第二取付部に当接された第二当接部と、
前記背面カバーの背面部の背面側に設けられ、前記背面カバーの背面部との間に前記第二取付部が挿入される第二保持部と、
を有する、
付記１〜付記５のいずれか一項に記載の電子機器。
（付記７）
前記第二固定部は、前記上下方向の他方側に向けて延び、先端部に前記第二当接部が形成された弾性片を有する、
付記６に記載の電子機器。
（付記８）
前記第二取付部は、前記上下方向に沿って延びる縦縁部を有し、
前記第二固定部は、前記縦縁部の側方に設けられると共に前記縦縁部に沿って配置される壁部を有する、
付記６又は付記７に記載の電子機器。
（付記９）
前記ヒンジブラケット及び前記スタンドは、スタンドユニットを形成し、
前記スタンドは、前記ヒンジブラケットと共に前記スタンドユニットを形成した状態で前記背面カバーに取り付けられている、
付記１〜付記８のいずれか一項に記載の電子機器。
（付記１０）
前記スタンドは、前記背面カバーの背面方向に貫通する孔を有する枠状体である、
付記１〜付記９のいずれか一項に記載の電子機器。
（付記１１）
前記背面カバーの左右両側の下端部に設けられると共に、前記背面カバーの周壁部の一部が下方に凸状に突出されることにより形成され、かつ、前記背面カバーの前後方向に貫通する孔を有する台足部と、
前記台足部の内側面に沿って設けられた補強部材と、
をさらに備える、
付記１〜付記１０のいずれか一項に記載の電子機器。
（付記１２）
表示器と、
前記表示器の背面側に設けられ背面カバーと、
前記背面カバーの左右両側の下端部に設けられると共に、前記背面カバーの周壁部の一部が下方に凸状に突出されることにより形成され、かつ、前記背面カバーの前後方向に貫通する孔を有する台足部と、
前記台足部の内側面に沿って設けられた補強部材と、
を備える電子機器。
（付記１３）
前記補強部材は、前記背面カバーの前後方向に貫通する孔を有する中空体である、
付記１１又は付記１２に記載の電子機器。
（付記１４）
前記補強部材の内周面は、外部に露出された意匠面である、
付記１３に記載の電子機器。
（付記１５）
前記補強部材は、前記台足部を前記背面カバーの正面側から覆う正面側被覆部を有する、
付記１３又は付記１４に記載の電子機器。
（付記１６）
前記台足部は、前記補強部材を前記背面カバーの背面側から覆う背面側被覆部を有する、
付記１３〜付記１５のいずれか一項に記載の電子機器。
（付記１７）
前記台足部は、
前記背面カバーの周壁部のうちの側壁部を下方に延長して形成された外壁部と、
前記背面カバーの周壁部のうちの下壁部における左右方向の端部を下方に延長して形成された内壁部と、
前記外壁部の下端部と前記内壁部の下端部とを連結する底壁部と、
を有する、
付記１３〜付記１６のいずれか一項に記載の電子機器。
（付記１８）
前記背面カバーの正面側には、前記表示器が組み付けられた正面カバーが設けられ、
前記台足部は、前記正面カバーの下端部よりも下方に突出する、
付記１３〜付記１７のいずれか一項に記載の電子機器。
（付記１９）
前記補強部材の内周面は、コア及びキャビティを有する金型のうち前記コアに形成された凸部の外周面によって形成され、
前記補強部材の外周面は、前記キャビティに形成された凹部の内周面によって形成されている、
付記１３〜付記１８のいずれか一項に記載の電子機器。
（付記２０）
前記補強部材は、アルミニウム合金製である、
付記１１〜付記１９のいずれか一項に記載の電子機器。
（付記２１）
前記電子機器は、表示器一体型のパーソナルコンピュータである、
付記１〜付記２０のいずれか一項に記載の電子機器。
【符号の説明】
【００８２】
１０  電子機器
１４  スタンドユニット
１６  表示器
２０  背面カバー
２８  ヒンジブラケット
３０  スタンド
３４  第一取付部
３６  第二取付部
４０  ヒンジ軸
４４  凹部
４６  底壁部
４８  開口部
５０  スリット
５４  正面部
５６  背面部
５８  第一固定部
６０  第二固定部（壁部の一例）
６２  第一壁部
６４  第一当接部
６６  第一保持部
６８  ボス部
７２  第二壁部
７４  第二当接部
７６  第二保持部
７８  弾性片
８０  ガイド部
８２  ヒンジカバー
８６  上カバー部
８８  下カバー部
９０  カバー部
１０２  台足部
１２０  補強部材
【図１】
0006528530.tif 000002
【図２】
0006528530.tif 000003
【図３】
0006528530.tif 000004
【図４】
0006528530.tif 000005
【図５】
0006528530.tif 000006
【図６】
0006528530.tif 000007
【図７】
0006528530.tif 000008
【図８】
0006528530.tif 000009
【図９】
0006528530.tif 000010
【図１０】
0006528530.tif 000011
【図１１】
0006528530.tif 000012
【図１２】
0006528530.tif 000013
【図１３】
0006528530.tif 000014
【図１４】
0006528530.tif 000015
【図１５】
0006528530.tif 000016
【図１６】
0006528530.tif 000017
【図１７】
0006528530.tif 000018
【図１８】
0006528530.tif 000019
【図１９】
0006528530.tif 000020
【図２０】
0006528530.tif 000021
【図２１】
0006528530.tif 000022
【図２２】
0006528530.tif 000023
【図２３】
0006528530.tif 000024
【図２４】
0006528530.tif 000025
【図２５】
0006528530.tif 000026
【図２６】
0006528530.tif 000027
【図２７】
0006528530.tif 000028
【図２８】
0006528530.tif 000029
【図２９】
0006528530.tif 000030